(57)【要約】【課題】温度の検出機能に異常が発生した場合でも異常な制御が行われにくい点灯装置、照明器具、及びそれを備えた車両を提供する。【解決手段】第１入力部２１には、電力変換部１０及び制御部２０を少なくとも収納する点灯装置本体の内部温度を測定する第１感温部３０から第１測定値が入力される。第２入力部２２には、光源１１０の温度を測定する第２感温部１２０から第２測定値が入力される。制御部２０は、第１測定値と第２測定値とが両方ともに異常値でないと判断したときは、第１測定値と第２測定値とに基づいて電力変換部１０の出力値を制御する。制御部２０は、第１測定値と第２測定値との少なくとも一方が異常値であると判断したときは、電力変換部１０の出力値を、第１測定値と第２測定値とに基づいて設定される出力値とは異なる出力値に制御する。【選択図】図１
2018041665.tif 000002
【特許請求の範囲】
【請求項１】
入力電力を変換して光源に出力する電力変換部と、
前記電力変換部の出力を制御する制御部とを備え、
前記制御部は、前記電力変換部及び前記制御部を少なくとも収納する点灯装置本体の内部温度を測定する第１感温部から第１測定値が入力される第１入力部と、前記光源の温度を測定する第２感温部から第２測定値が入力される第２入力部とを備え、
前記制御部は、前記第１測定値と前記第２測定値とが両方ともに異常値でないと判断したときは、前記第１測定値及び前記第２測定値のいずれか一方が所定の閾値を超えると前記電力変換部の出力値を抑制するように制御し、
前記制御部は、前記第１測定値と前記第２測定値との少なくとも一方が異常値であると判断したときは、前記電力変換部の出力値を、前記第１測定値と前記第２測定値とに基づいて決定される出力値とは異なる出力値に制御する、
点灯装置。
【請求項２】
前記制御部は、前記第１測定値と前記第２測定値との少なくとも一方が異常値であると判断したときは、前記電力変換部の出力を一定値に制御する、
請求項１に記載の点灯装置。
【請求項３】
前記一定値は、前記第１測定値と前記第２測定値とが両方ともに異常値でないときの出力値よりも小さい、
請求項２に記載の点灯装置。
【請求項４】
前記制御部は、前記第１測定値と前記第２測定値との一方を異常値と判断したとき、前記第１測定値と前記第２測定値との他方の測定値をもとに、前記点灯装置本体の内部温度と前記光源の温度とのうち前記第１測定値と前記第２測定値との一方に対応した温度の推定値を求め、
前記制御部は、前記第１測定値と前記第２測定値との一方に対応した前記温度の推定値と、前記第１測定値と前記第２測定値との他方の測定値とに基づいて、前記電力変換部の出力値を制御する、
請求項１に記載の点灯装置。
【請求項５】
前記第１測定値と前記第２測定値とが両方とも異常値ではない状態で求められた前記第１測定値と前記第２測定値との相関関係を示す相関値を記憶するメモリを、更に備え、
前記制御部は、前記第１測定値と前記第２測定値との一方が異常値であると判断したとき、前記第１測定値と前記第２測定値との他方の測定値と、前記メモリから取得した前記相関値とに基づいて、前記点灯装置本体の内部温度と前記光源の温度とのうち前記第１測定値と前記第２測定値との一方に対応した温度の推定値を求める、
請求項４に記載の点灯装置。
【請求項６】
別の点灯装置から、前記別の点灯装置が備える点灯装置本体の内部温度を測定した第３測定値と、前記別の点灯装置が点灯させる光源の温度を測定した第４測定値とが、それぞれ入力される通信部を更に備え、
前記制御部は、前記第１測定値と前記第２測定値との一方が異常値であると判断したとき、前記通信部に入力される前記第３測定値及び前記第４測定値のうち前記第１測定値と前記第２測定値との一方に対応する測定値と、前記第１測定値と前記第２測定値との他方の測定値とに基づいて、前記電力変換部の出力値を制御する、
請求項１に記載の点灯装置。
【請求項７】
別の点灯装置から、前記別の点灯装置が備える点灯装置本体の内部温度を測定した第３測定値と、前記別の点灯装置が点灯させる光源の温度を測定した第４測定値とが、それぞれ入力される通信部と、
前記第１測定値が異常値ではない状態で求められた前記第１測定値と前記第３測定値との相関関係を示す相関値を記憶するメモリとを、更に備え、
前記制御部は、前記第１測定値が異常値であると判断したとき、前記通信部に入力される前記第３測定値と、前記メモリから取得した前記第１測定値と前記第３測定値との相関関係を示す相関値とを用いて、前記点灯装置本体の内部温度の推定値を求め、
前記制御部は、前記点灯装置本体の内部温度の推定値と前記第２測定値とに基づいて、前記電力変換部の出力値を制御する、
請求項１に記載の点灯装置。
【請求項８】
別の点灯装置から、前記別の点灯装置が備える点灯装置本体の内部温度を測定した第３測定値と、前記別の点灯装置が点灯させる光源の温度を測定した第４測定値とが、それぞれ入力される通信部と、
前記第２測定値が異常値ではない状態で求められた前記第２測定値と前記第４測定値との相関関係を示す相関値を記憶するメモリとを、更に備え、
前記制御部は、前記第２測定値が異常値であると判断したとき、前記通信部に入力される前記第４測定値と、前記メモリから取得した前記第２測定値と前記第４測定値との相関関係を示す相関値とを用いて、前記光源の温度の推定値を求め、
前記制御部は、前記光源の温度の推定値と前記第１測定値とに基づいて、前記電力変換部の出力値を制御する、
請求項１又は７に記載の点灯装置。
【請求項９】
外部装置へ前記第１測定値と前記第２測定値とを出力する通信部を、更に備える、
請求項１に記載の点灯装置。
【請求項１０】
前記制御部は、前記第１測定値と前記第２測定値とのいずれかが所定の温度範囲外であると異常値であると判断する、
請求項１〜９のいずれか１項に記載の点灯装置。
【請求項１１】
前記制御部は、前記第１測定値と前記第２測定値との温度差が所定の判定基準以上であると、前記第１測定値又は前記第２測定値が異常値であると判断する、
請求項１〜１０のいずれか１項に記載の点灯装置。
【請求項１２】
前記制御部が前記第１測定値と前記第２測定値との少なくとも一方を異常値と判断したとき、前記第１測定値又は前記第２測定値を異常値と判断したことを外部に報知する報知部を、更に備える、
請求項１〜１１のいずれか１項に記載の点灯装置。
【請求項１３】
請求項１〜１２のいずれか１項に記載の点灯装置と、前記点灯装置を保持する器具本体とを備えた、
照明器具。
【請求項１４】
請求項１３に記載の照明器具と、前記照明器具が取り付けられる車体とを備えた、
車両。
【発明の詳細な説明】
【技術分野】
【０００１】
本発明は、点灯装置、照明器具、及びそれを備える車両に関し、特に、温度に応じて出力を変化させる機能を有する点灯装置、照明器具、及びそれを備える車両に関する。
【背景技術】
【０００２】
従来、複数の発光ダイオードと、発光ダイオードが発生する熱が作用するように配置された感温部と、一部の発光ダイオードと並列に接続された保護回路とを備えたＬＥＤモジュールがあった（例えば特許文献１参照）。特許文献１に記載されたＬＥＤモジュールでは、感温部の感知温度が所定の閾値温度を超えたときに、保護回路が短絡することで、一部の発光ダイオードが消灯し、これによって発光ダイオードの発熱量を低減していた。
【先行技術文献】
【特許文献】
【０００３】
【特許文献１】特開２０１２−１３３９３８号公報
【発明の概要】
【発明が解決しようとする課題】
【０００４】
上述のＬＥＤモジュールにおいて、感温部などの異常によって温度の検出機能に異常が発生すると、保護回路が正常に動作せず、制御が異常になる可能性がある。
【０００５】
本発明の目的は、温度の検出機能に異常が発生した場合でも異常な制御が行われにくい点灯装置、照明器具、及びそれを備えた車両を提供することにある。
【課題を解決するための手段】
【０００６】
本発明の一態様の点灯装置は、入力電力を変換して光源に出力する電力変換部と、前記電力変換部の出力を制御する制御部とを備える。前記制御部は、第１入力部と、第２入力部とを有する。前記第１入力部には、前記電力変換部及び前記制御部を少なくとも収納する点灯装置本体の内部温度を測定する第１感温部から第１測定値が入力される。前記第２入力部には、前記光源の温度を測定する第２感温部から第２測定値が入力される。前記制御部は、前記第１測定値と前記第２測定値とが両方ともに異常値でないと判断したときは、前記第１測定値及び前記第２測定値のいずれか一方が所定の閾値を超えると前記電力変換部の出力値を抑制するように制御する。前記制御部は、前記第１測定値と前記第２測定値との少なくとも一方が異常値であると判断したときは、前記電力変換部の出力値を、前記第１測定値と前記第２測定値とに基づいて決定される出力値とは異なる出力値に制御する。
【０００７】
本発明の一態様の照明器具は、前記点灯装置と、前記点灯装置を保持する器具本体とを備える。
【０００８】
本発明の一態様の車両は、前記照明器具と、前記照明器具が取り付けられる車体とを備える。
【発明の効果】
【０００９】
本発明によれば、温度の検出機能に異常が発生した場合でも異常な制御が行われにくい点灯装置、照明器具、及びそれを備えた車両を提供する。
【図面の簡単な説明】
【００１０】
【図１】図１は、実施形態１に係る点灯装置の回路図である。
【図２】図２Ａは、同上の点灯装置の温度と出力との関係を示すグラフである。図２Ｂは、光源の温度と出力との関係を示すグラフである。
【図３】図３Ａは、実施形態２に係る点灯装置の温度と出力との関係を示すグラフである。図３Ｂは、光源の温度と出力との関係を示すグラフである。
【図４】図４は、実施形態３に係る点灯装置の回路図である。
【図５】図５Ａは、同上の点灯装置の温度と出力との関係を示すグラフである。図５Ｂは、光源の温度と出力との関係を示すグラフである。
【図６】図６は、実施形態４に係る点灯装置の回路図である。
【図７】図７は、実施形態５に係る照明器具の断面図である。
【図８】図８は、実施形態６に係る車両の斜視図である。
【発明を実施するための形態】
【００１１】
以下に説明する実施形態は、本発明の種々の実施形態の一つに過ぎない。本発明の実施形態は、下記実施形態に限定されることはなく、この実施形態以外も含み得る。また、下記の実施形態は、本発明に係る技術的思想を逸脱しない範囲であれば、設計等に応じて種々の変更が可能である。
【００１２】
（実施形態１）
実施形態１に係る点灯装置１は、図１に示すように、光源ユニット１００を点灯するために用いられる。なお、本実施形態の点灯装置１は、自動車のような車両に設けられた光源ユニット１００を点灯するために用いられる。
【００１３】
点灯装置１は、図１に示すように、電力変換部１０と、制御部２０と、第１感温部３０とを備える。また、点灯装置１は、出力電圧を測定する電圧測定部４０と、出力電流を測定する電流測定部５０とを備えている。
【００１４】
まず、点灯装置１によって点灯される光源ユニット１００について説明する。
【００１５】
光源ユニット１００は、光源１１０と、第２感温部１２０とを備えている。光源１１０はＬＥＤのような半導体発光素子からなる。光源１１０は例えば複数のＬＥＤからなり、複数のＬＥＤは直列又は並列に接続されている。第２感温部１２０は光源１１０の温度を測定する。ここにおいて、「光源の温度」とは、光源そのものの温度に限定されず、光源の周囲の温度を含む。なお、本実施形態では、第２感温部１２０は光源１１０の周囲の温度を測定している。
【００１６】
次に、点灯装置１の各部の構成について説明する。
【００１７】
電力変換部１０は、例えば昇圧型のＤＣ−ＤＣコンバータ回路からなる。電力変換部１０は、直流電源Ｅ１から電源スイッチＳＷ１を介して入力される直流電圧の電圧値を変換して、光源ユニット１００の光源１１０に出力する。直流電源Ｅ１は、例えば車両のバッテリであるが、交流電源の交流電圧を整流、平滑して直流電圧に変換するＡＣ−ＤＣインバータ回路でもよい。
【００１８】
電圧測定部４０は、電力変換部１０の出力端子間に接続された抵抗Ｒ１，Ｒ２の直列回路を備えている。電力変換部１０の出力電圧を抵抗Ｒ１と抵抗Ｒ２とで分圧した電圧が制御部２０に入力される。
【００１９】
電流測定部５０は、光源１１０と電力変換部１０との間に直列に接続された抵抗Ｒ３を備えている。抵抗Ｒ３の両端電圧が制御部２０に入力される。
【００２０】
制御部２０は、第１入力部２１と、第２入力部２２と、異常判断部２３と、出力設定部２４と、出力制御部２５の機能を備えている。また、制御部２０はメモリ２６を備えている。本実施形態の制御部２０はマイクロコンピュータを備えている。マイクロコンピュータのＣＰＵ（Central Processing Unit）がメモリ２６に記憶されたプログラムを実行することによって、制御部２０の機能が実現される。ここで、マイクロコンピュータのＣＰＵが実行するプログラムは、点灯装置１の工場出荷時にあらかじめメモリ２６に記憶されていてもよいし、メモリカードなどの記憶媒体に記録されて提供されてもよいし、電気通信回線を通して提供されてもよい。
【００２１】
第１入力部２１には、電力変換部１０及び制御部２０を少なくとも収納する点灯装置本体７０（図７参照）の内部温度、つまり点灯装置１の温度を測定する第１感温部３０から第１測定値が入力される。第１感温部３０は例えばサーミスタのような感温素子であり、電力変換部１０などの回路が実装された基板に実装されて、点灯装置本体７０の内部温度を測定する。ここにおいて、「点灯装置本体の内部温度」とは、点灯装置本体７０の内部の任意の位置における温度であり、例えば発熱量が比較的大きい回路部品の近傍で温度を測定してもよい。
【００２２】
第２入力部２２には、光源１１０の温度を測定する第２感温部１２０から第２測定値が入力される。第２感温部１２０は例えばサーミスタのような感温素子であり、光源１１０である発光ダイオードが実装された基板に実装され、光源１１０の周囲の温度を測定する。本実施形態では第２感温部１２０が光源１１０の周囲の温度を測定しているが、光源１１０の温度を直接測定してもよい。
【００２３】
異常判断部２３は、第１入力部２１に入力された第１測定値と、第２入力部２２に入力された第２測定値とがそれぞれ異常値であるか否かを判断する。ここにおいて、第１測定値が異常値であるとは、第１感温部３０又は第１感温部３０から第１測定値が入力される回路に、回路部品の故障や断線などが発生することで、第１測定値が点灯装置本体７０の内部温度とかけ離れた異常な値になることをいう。同様に、第２測定値が異常値であるとは、第２感温部１２０又は第２感温部１２０から第２測定値が入力される回路に、回路部品の故障や断線などが発生することで、第２測定値が光源１１０の温度とかけ離れた異常な値になることをいう。したがって、第１測定値及び第２測定値が正常に測定された測定値であれば、第１測定値及び第２測定値が点灯装置１及び光源１１０の使用温度範囲外であっても、第１測定値及び第２測定値は異常値ではない。また、以下では、第１測定値又は第２測定値が異常値となったことを、測定異常が発生したともいう。
【００２４】
例えば、異常判断部２３は、第１入力部２１に入力された第１測定値が所定の第１温度範囲外になると、第１測定値が異常値であると判断する。ここにおいて、所定の第１温度範囲とは、第１感温部３０と第１感温部３０から第１測定値が入力される回路（第１入力部２１、第１入力部２１と第１感温部３０とを接続する電線など）が正常に機能する場合に第１測定値が取り得る値である。本実施形態では第１温度範囲は例えば（−４０）℃から１３５℃までの温度範囲に設定されており、異常判断部２３は、第１測定値が（−４０）℃以下であるか、又は第１測定値が１３５℃以上であれば、異常値と判断する。
【００２５】
また、異常判断部２３は、第２入力部２２に入力された第２測定値が所定の第２温度範囲外になると、第２入力部２２に入力された第２測定値が異常値であると判断する。ここで、所定の第２温度範囲とは、第２感温部１２０と第２感温部１２０の第２測定値が入力される回路（第２入力部２２、第２入力部２２と第２感温部１２０とを接続する電線など）が正常に機能する場合に、第２測定値が取り得る値である。本実施形態では第２温度範囲は例えば（−４０）℃から１３５℃までの温度範囲に設定されており、異常判断部２３は、第２測定値が（−４０）℃以下であるか、又は第２測定値が１３５℃以上であれば、異常値と判断する。
【００２６】
なお、温度等の２値間の比較において、「以上」としているところは、２値が等しい場合、及び２値の一方が他方を超えている場合との両方を含む。ただし、これに限らず、ここでいう「以上」は、２値の一方が他方を超えている場合のみを含む「より大きい」と同義であってもよい。つまり、２値が等しい場合を含むか否かは、基準値等の設定次第で任意に変更できるので、「以上」か「より大きい」かに技術上の差異はない。同様に、「以下」においても「未満」と同義であってもよく、「以下」か「未満」かに技術上の差異はない。
【００２７】
メモリ２６は、例えばＥＥＰＲＯＭ（Electrically Erasable and Programmable Read-Only Memory）のような電気的に書き換え可能な不揮発性メモリである。メモリ２６は、マイクロコンピュータのＣＰＵが実行するプログラムや、点灯装置１の温度及び光源１１０の温度と電力変換部１０の出力値との関係を示す出力特性のデータなどを記憶している。
【００２８】
ここで、図２Ａは点灯装置１の温度と電力変換部１０の出力値との関係を示しており、電力変換部１０の出力は、光源１１０への定格出力を１００％としたときの百分率で表されている。図２Ａでは、第１測定値が異常値でない場合の出力特性（以下、「正常時の出力特性」という）が点線で図示されている。正常時の出力特性では、点灯装置１の温度が温度Ｔ１１以下では電力変換部１０の出力の設定値は１００％に設定される。点灯装置１の温度が温度Ｔ１１よりも高くかつ温度Ｔ１２以下の範囲では、温度上昇に応じて出力が単調減少するように、電力変換部１０の出力の設定値が設定される。点灯装置１の温度が温度Ｔ１２よりも高くなると、電力変換部１０の出力の設定値はＶ１（％）になる。また、図２Ａでは、第１測定値が異常値である場合の出力特性（以下、「異常時の出力特性」という）が実線で図示されており、異常時の出力特性では、点灯装置１の温度に関係なく、電力変換部１０の出力の設定値はＶ１（％）になる。ここにおいて、設定値Ｖ１は、周囲温度が上昇した場合でも点灯装置１及び光源１１０の温度が許容範囲内に収まるような出力値に設定されるのが好ましい。
【００２９】
一方、図２Ｂは光源１１０の温度と電力変換部１０の出力値との関係を示しており、電力変換部１０の出力は、光源１１０への定格出力を１００％としたときの百分率で表されている。図２Ｂでは正常時の出力特性が点線で図示されている。正常時の出力特性では、光源１１０の温度が温度Ｔ２１以下では電力変換部１０の出力の設定値は１００％に設定される。光源１１０の温度が温度Ｔ２１よりも高くかつ温度Ｔ２２以下の範囲では、温度上昇に応じて出力が単調減少するように、電力変換部１０の出力の設定値が設定される。光源１１０の温度が温度Ｔ２２よりも高くなると、電力変換部１０の出力の設定値はＶ２（％）になる。図２Ｂでは異常時の出力特性が実線で図示されている。異常時の出力特性では、点灯装置１の温度に関係なく、電力変換部１０の出力の設定値はＶ２（％）になる。ここにおいて、設定値Ｖ２は、周囲温度が上昇した場合でも点灯装置１及び光源１１０の温度が許容範囲内に収まるような出力値に設定されるのが好ましい。
【００３０】
出力設定部２４は、異常判断部２３によって第１測定値及び第２測定値が異常値と判断されていない場合、第１測定値と第２測定値とに基づいて高温時に出力を低減するように電力変換部１０の出力値を設定する。出力設定部２４は、異常判断部２３が第１測定値を異常値と判断したとき、電力変換部１０の出力を設定値Ｖ１に設定する。出力設定部２４は、異常判断部２３が第２測定値を異常値と判断したとき、電力変換部１０の出力を設定値Ｖ２に設定する。出力設定部２４は、異常判断部２３が第１測定値及び第２測定値をともに異常値と判断したとき、電力変換部１０の出力を設定値Ｖ１，Ｖ２のうちいずれか小さい方に設定する。なお、設定値Ｖ１，Ｖ２が同じ値であれば、出力設定部２４は、異常判断部２３が第１測定値及び第２測定値をともに異常値と判断したとき、電力変換部１０の出力を設定値Ｖ１（＝Ｖ２）に設定する。
【００３１】
出力制御部２５は、電力変換部１０の出力が、出力設定部２４によって設定された設定値に一致するように、電力変換部１０が備えるスイッチング素子のオンデューティを制御する。
【００３２】
次に、本実施形態の点灯装置１の動作を説明する。
【００３３】
電源スイッチＳＷ１がオンになり、直流電源Ｅ１から点灯装置１に電力が供給されると、点灯装置１が動作を開始する。制御部２０は、外部装置、例えば車両のＥＣＵ（Electronic Control Unit）と通信する通信機能を有しており、ＥＣＵから光源ユニット１００を点灯する点灯指令を受信していない場合は、光源ユニット１００を消灯する。
【００３４】
制御部２０は、ＥＣＵから光源ユニット１００を点灯する点灯指令を受信すると、光源１１０に所定の出力が供給されるように電力変換部１０を制御して、光源１１０をあらかじめ設定された出力で点灯する。また、制御部２０は、点灯装置本体７０の内部温度と光源１１０の温度を監視し、点灯装置本体７０の内部温度と光源１１０の温度とのいずれかが高温になると、電力変換部１０の出力を抑制する動作を行う。以下に、光源ユニット１００を点灯させる場合の制御部２０の動作を説明する。
【００３５】
制御部２０の第１入力部２１は第１感温部３０から第１測定値を定期的に取り込み、制御部２０の第２入力部２２は第２感温部１２０から第２測定値を定期的に取り込む。制御部２０の第１入力部２１に第１感温部３０から第１測定値が入力され、第２入力部２２に第２感温部１２０から第２測定値が入力されると、異常判断部２３は、第１測定値及び第２測定値のそれぞれについて異常値か否かを判断する。ここで、異常判断部２３は、第１測定値が第１温度範囲内であり、第２測定値が第２温度範囲内であれば、第１測定値及び第２測定値は異常値ではないと判断する。一方、異常判断部２３は、第１測定値が第１温度範囲外になると第１測定値が異常値であると判断し、第２測定値が第２温度範囲外になると第２測定値が異常値であると判断する。
【００３６】
出力設定部２４は、異常判断部２３の判断結果に応じて電力変換部１０の出力値を設定する。
【００３７】
異常判断部２３が第１測定値及び第２測定値を異常値ではないと判断している場合、出力設定部２４は、第１測定値をもとに、メモリ２６から取得した図２Ａの正常時の出力特性にしたがって、電力変換部１０の出力の候補値（以下、第１候補値という）を求める。また、出力設定部２４は、第２測定値をもとに、メモリ２６から取得した図２Ｂの正常時の出力特性にしたがって、電力変換部１０の出力の候補値（以下、第２候補値という）を求める。出力設定部２４は、第１候補値と第２候補値の大小を比較し、第１候補値と第２候補値のうち小さい方を電力変換部１０の出力の設定値とする。なお、第１候補値と第２候補値とが同じ値であれば、出力設定部２４は、第１候補値（第２候補値）を電力変換部１０の出力の設定値とする。
【００３８】
異常判断部２３が第１測定値を異常値と判断したときは、出力設定部２４は、電力変換部１０の出力を設定値Ｖ１に設定する。
【００３９】
異常判断部２３が第２測定値を異常値と判断したときは、出力設定部２４は、電力変換部１０の出力を設定値Ｖ２に設定する。
【００４０】
また、異常判断部２３が第１測定値及び第２測定値を両方とも異常値と判断したときは、出力設定部２４は、電力変換部１０の出力を設定値Ｖ１と設定値Ｖ２との小さい方に設定する。なお、設定値Ｖ１と設定値Ｖ２とが同じ値の場合、出力設定部２４は、電力変換部１０の出力を設定値Ｖ１（設定値Ｖ２）に設定する。
【００４１】
そして、出力制御部２５は、電力変換部１０の出力が、出力設定部２４によって設定された設定値に一致するように、電力変換部１０が備えるスイッチング素子のオンデューティを制御する。本実施形態では、制御部２０に、電圧測定部４０によって測定された出力電圧と、電流測定部５０によって測定された出力電流とがフィードバックされている。制御部２０は、出力電圧と出力電流とをもとに、電力変換部１０の出力が、出力設定部２４によって設定された設定値に一致するように、スイッチング素子のオンデューティを制御する。
【００４２】
このように、第１測定値及び第２測定値のいずれかが異常値となる場合、制御部２０は、電力変換部１０の出力を、第１入力部２１に入力される第１測定値と第２入力部２２に入力される第２測定値とに基づいて決定される出力値と異なる出力値に制御する。したがって、電力変換部１０の出力値が、異常値と判断された第１測定値又は第２測定値に基づいて決定される出力値に制御されることがなく、温度の検出機能に異常が発生した場合でも異常な制御が行われにくくなる。また、第１測定値及び第２測定値のいずれかが異常値となる場合でも、点灯装置１は光源１１０を点灯させることができるので、所望の範囲を照明することができる。
【００４３】
なお、異常判断部２３が第１測定値及び第２測定値を異常値ではないと判断している場合に、点灯装置１の温度が温度Ｔ１１以下であり、かつ、光源１１０の温度が温度Ｔ２１以下であるときは、制御部２０は電力変換部１０の出力を１００％の出力値に制御する。一方、異常判断部２３が第１測定値及び第２測定値を異常値ではないと判断している場合に、点灯装置１の温度が温度Ｔ１１を超えるか、又は光源１１０の温度が温度Ｔ２１を超えると、制御部２０は電力変換部１０の出力を低減する。これにより、制御部２０は、第１測定値又は第２測定値が所定の閾値（温度Ｔ１１，Ｔ２１）を超えると、電力変換部１０の出力を抑制するように制御しており、点灯装置１及び光源１１０の温度上昇が抑制される。
【００４４】
また、本実施形態では、異常判断部２３が測定異常と判断した場合、制御部２０は、点灯装置１の温度又は光源１１０の温度に関係なく、電力変換部１０の出力を一定の出力値に制御する。したがって、電力変換部１０の出力値が、異常値と判断された第１測定値又は第２測定値に基づいて決定される出力値に制御されることがなく、温度の検出機能に異常が発生した場合でも異常な制御が行われにくくなる。
【００４５】
以下に、実施形態１の変形例に係る点灯装置１を列記する。なお、以下に説明する変形例の各構成は、上記実施形態で説明した各構成と適宜組み合わせて適用可能である。
【００４６】
出力設定部２４は、測定異常が発生した場合に、電力変換部１０の出力を、第１測定値及び第２測定値が異常値ではない場合の出力の最小値（Ｖ１，Ｖ２のいずれか小さい方）より小さい出力値に設定してもよい。これにより、測定異常が発生した場合に、点灯装置１及び光源１１０の温度上昇が更に抑制される。
【００４７】
異常判断部２３は、第１測定値が第１温度範囲外であれば、第１測定値が異常値であると判断し、第２測定値が第２温度範囲外であると、第２測定値が異常値であると判断するが、第１温度範囲及び第２温度範囲を電力変換部１０の出力に応じて変化させてもよい。電力変換部１０の出力値が大きいほど、点灯装置１及び光源１１０の発熱が増加すると想定されるので、異常判断部２３が、電力変換部１０の出力値に応じて、第１温度範囲及び第２温度範囲を変化させてもよい。例えば、異常判断部２３は、電力変換部１０の出力値が増加するにつれて、第１温度範囲及び第２温度範囲をそれぞれ高温側にシフトさせてもよい。また、異常判断部２３が、電力変換部１０の出力値が増加するにつれて、第１温度範囲及び第２温度範囲をそれぞれ高温側に広げるように、第１温度範囲及び第２温度範囲の上限値を変化させてもよい。これにより、異常判断部２３は、第１測定値又は第２測定値が異常値であるか否かをより確実に判断できる。
【００４８】
また、異常判断部２３は、光源ユニット１００の点灯中だけでなく、光源ユニット１００の消灯中にも、第１測定値及び第２測定値が異常値であるか否かを判断してもよい。すなわち、異常判断部２３は、光源ユニット１００の消灯中にも、第１測定値が第１温度範囲外であれば、第１測定値が異常値であると判断し、第２測定値が第２温度範囲外であると、第２測定値が異常値であると判断する。異常判断部２３は、光源ユニット１００の消灯中に、第１測定値又は第２測定値が異常値であると判断した場合、光源ユニット１００を点滅させたり、外部装置に報知信号を出力したりすることで、第１測定値又は第２測定値が異常値であることを報知すればよい。
【００４９】
ここで、第１温度範囲及び第２温度範囲は光源ユニット１００の点灯中と消灯中とで同じ温度範囲でもよいが、第１温度範囲及び第２温度範囲は光源ユニット１００の点灯中と消灯中とで異なる温度範囲に設定されてもよい。光源ユニット１００の消灯中は点灯中に比べて、第１感温部３０の第１測定値及び第２感温部１２０の第２測定値は低くなると想定される。したがって、点灯中の第１温度範囲及び第２温度範囲に比べて、消灯中の第１温度範囲及び第２温度範囲をそれぞれ低い温度範囲に設定してもよく、異常判断部２３は、第１測定値又は第２測定値が異常値であるか否かをより確実に判断できる。
【００５０】
また、光源ユニット１００が消灯すると、消灯時間が長引くにつれて、点灯装置１及び光源１１０の温度が低下すると想定される。したがって、異常判断部２３は、光源ユニット１００の消灯時間が長引くにつれて、第１温度範囲及び第２温度範囲をそれぞれ低温側にシフトさせればよい。また、異常判断部２３は、光源ユニット１００の消灯時間が長引くにつれて第１温度範囲及び第２温度範囲の上限値が下がるように、第１温度範囲及び第２温度範囲を設定してもよい。これにより、異常判断部２３は、第１測定値又は第２測定値が異常値であるか否かをより確実に判断できる。
【００５１】
また、異常判断部２３は、第１測定値が第１温度範囲外であると第１測定値が異常値と判断し、第２測定値が第２温度範囲外であると第２測定値が異常値と判断しているが、異常値か否かの判定方法はこれに限定されない。異常判断部２３は、第１測定値と第２測定値との差が所定の判定基準以上であると、第１測定値又は第２測定値が異常値であると判断してもよい。異常判断部２３が、第１測定値又は第２測定値が異常値であると判断した場合、出力設定部２４は、電力変換部１０の出力を設定値Ｖ１，Ｖ２のうちいずれか小さい方に設定すればよい。
【００５２】
光源１１０の点灯中に電力変換部１０の出力が定格出力に制御されている場合、点灯装置１の温度と光源１１０の温度との温度差は一定の温度差以内に収まると想定される。そこで、点灯装置１の温度と光源１１０の温度との温度差をあらかじめ測定しておき、この温度差よりも大きい温度（例えば５０℃）を判定基準として制御部２０のメモリに設定しておけばよい。
【００５３】
異常判断部２３は、第１入力部２１に入力される第１測定値と、第２入力部２２に入力される第２測定値との温度差（絶対値）を求め、この温度差がメモリから取得した判定基準以上であれば、第１測定値又は第２測定値が異常値であると判断する。第１測定値及び第２測定値のいずれかが異常値になると、第１測定値と第２測定値との温度差（絶対値）が判定基準以上になると想定される。したがって、異常判断部２３は、第１測定値と第２測定値との温度差をもとに、第１測定値又は第２測定値が異常値であるか否かを判断することができる。
【００５４】
ここで、異常判断部２３は、光源１１０の点灯中での判定基準と、光源１１０の消灯中での判定基準とを異なる値に設定してもよい。電力変換部１０が電力変換を停止し、光源１１０が消灯している間は、点灯装置１又は光源１１０の周囲に熱源がなければ、点灯装置１の温度と光源１１０の温度とは同程度の温度になると想定される。したがって、光源１１０の点灯中での判定基準を５０℃、光源１１０の消灯中での判定基準を２５℃として制御部２０のメモリに設定してもよい。異常判断部２３は、光源１１０の消灯中には、第１測定値と第２測定値との温度差が２５℃以上になると、第１測定値又は第２測定値が異常値であると判断しているので、第１測定値又は第２測定値が異常値であるか否かをより確実に判断できる。
【００５５】
また、異常判断部２３は、第１測定値に対する第２測定値の比率が所定範囲外になると、第１測定値又は第２測定値が異常値であると判断してもよい。
【００５６】
なお、異常判断部２３が、第１測定値と第２測定値との温度差（絶対値）、又は第１測定値に対する第２測定値の比率に基づいて異常値か否かを判断する場合、第１測定値と第２測定値のうちいずれの測定値が異常値であるかを判断できない。この場合、異常判断部２３は、第１測定値及び第２測定値の各々が所定の温度範囲外であるか否かを、さらに判断することで、第１測定値と第２測定値とのどちらが異常値であるかを判断すればよい。
【００５７】
また、異常判断部２３は、第１測定値と第２測定値との温度差又は比率をもとに第１測定値又は第２測定値が異常値であると判断した場合、第１測定値及び第２測定値の各々で点灯中と消灯中との温度差をもとに異常値であるか否かを判断してもよい。例えば、異常判断部２３は、第１測定値及び第２測定値のうち、点灯中と消灯中とで測定値の変化が少ない方を異常値であると判断すればよい。
【００５８】
また、異常判断部２３は、第１測定値と第２測定値との温度差又は比率をもとに第１測定値又は第２測定値が異常値であると判断した場合、電力変換部１０の出力を増加又は低下させる前後での第１測定値及び第２測定値の変化分をそれぞれ求め、温度変化が少ない方を異常値と判断してもよい。電力変換部１０の出力が増加又は低下すると、点灯装置１及び光源１１０での発熱が増加又は減少するので、第１測定値及び第２想定値のうち異常値ではない測定値は上昇又は低下するが、異常値と判断された測定値は変化がないと想定される。したがって、異常判断部２３は、第１測定値と第２測定値との温度差又は比率をもとに第１測定値又は第２測定値が異常値であると判断した場合、電力変換部１０の出力を増加又は低下させる前後での第１測定値及び第２測定値の変化分をそれぞれ求め、温度変化が少ない方を異常値と判断すればよい。
【００５９】
（実施形態２）
実施形態２に係る点灯装置１について図３に基づいて説明する。
【００６０】
本実施形態の点灯装置１は、第１測定値及び第２測定値の一方が異常値と判断された場合、出力設定部２４が、第１測定値及び第２測定値のうち異常値と判断されていない測定値に基づいて電力変換部１０の出力を設定する点で、実施形態１と相違する。以下、実施形態１と同様の構成については、共通の符号を付して適宜説明を省略する。なお、実施形態２で説明した構成（変形例を含む）は、実施形態１で説明した構成（変形例を含む）と適宜組み合わせて適用可能である。
【００６１】
本実施形態の点灯装置１では、制御部２０のメモリ２６が、図３Ａ及び図３Ｂに示すような出力特性を記憶している。
【００６２】
図３Ａは点灯装置１の温度と電力変換部１０の出力との関係を示しており、電力変換部１０の出力は、光源１１０への定格出力を１００％としたときの百分率で表されている。図３Ａでは正常時の出力特性が点線で図示されている。正常時の出力特性は、図２Ａに示す正常時の出力特性と同じであるので、その説明は省略する。図３Ａでは異常時の出力特性が実線で図示されている。点灯装置１の温度が温度Ｔ１３以下では電力変換部１０の出力の設定値は１００％に設定される。点灯装置１の温度が温度Ｔ１３よりも高くかつ温度Ｔ１４以下の範囲では、温度上昇に応じて出力が単調減少するように、電力変換部１０の出力の設定値が設定されている。点灯装置１の温度が温度Ｔ１４よりも高くなると、電力変換部１０の出力の設定値はＶ３（％）になる（Ｖ３＜Ｖ１）。温度Ｔ１３は温度Ｔ１１よりも低く（Ｔ１３＜Ｔ１１）、温度Ｔ１４は温度Ｔ１１よりも高くかつ温度Ｔ１２よりも低い（Ｔ１１＜Ｔ１４＜Ｔ１２）。ここで、異常時の出力特性は、周囲温度が上昇した場合でも、点灯装置１及び光源１１０の温度が許容範囲内に収まるような出力特性に設定されるのが好ましい。
【００６３】
図３Ｂは光源１１０の温度と電力変換部１０の出力との関係を示しており、電力変換部１０の出力は、光源１１０への定格出力を１００％としたときの百分率で表されている。図３Ｂでは正常時の出力特性が点線で図示されている。正常時の出力特性は、図２Ｂに示す正常時の出力特性と同じであるので、その説明は省略する。図３Ｂでは異常時の出力特性が実線で図示されている。光源１１０の温度が温度Ｔ２３以下では電力変換部１０の出力の設定値は１００％に設定される。光源１１０の温度が温度Ｔ２３よりも高くかつ温度Ｔ２４以下の範囲では、温度上昇に応じて出力が単調減少するように、電力変換部１０の出力の設定値が設定されている。光源１１０の温度が温度Ｔ２４よりも高くなると、電力変換部１０の出力の設定値はＶ２（％）になる。温度Ｔ２３は温度Ｔ２１よりも低く（Ｔ２３＜Ｔ２１）、温度Ｔ２４は温度Ｔ２１よりも高くかつ温度Ｔ２２よりも低い（Ｔ２１＜Ｔ２４＜Ｔ２２）。ここで、異常時の出力特性は、周囲温度が上昇した場合でも、点灯装置１及び光源１１０の温度が許容範囲内に収まるような出力特性に設定されるのが好ましい。
【００６４】
以下、本実施形態の点灯装置１の動作について、出力設定部２４の動作を中心に説明する。
【００６５】
出力設定部２４は、異常判断部２３の判断結果に応じて電力変換部１０の出力値を設定する。
【００６６】
異常判断部２３が第１測定値及び第２測定値を異常値ではないと判断した場合、出力設定部２４は、第１測定値をもとにメモリ２６から取得した図３Ａの正常時の出力特性にしたがって第１候補値を求める。出力設定部２４は、第２測定値をもとにメモリ２６から取得した図３Ｂの正常時の出力特性にしたがって第２候補値を求める。出力設定部２４は、第１候補値と第２候補値との大小を比較し、第１候補値と第２候補値のうち小さい方を出力の設定値に設定する。
【００６７】
一方、出力設定部２４は、異常判断部２３が第１測定値を異常値と判断したときは、異常値と判断されていない第２測定値をもとに、メモリ２６から取得した図３Ｂの異常時の出力特性にしたがって、出力の設定値を求める。
【００６８】
また、出力設定部２４は、異常判断部２３が第２測定値を異常値と判断したときは、異常値と判断されていない第１測定値をもとに、メモリ２６から取得した図３Ａの異常時の出力特性にしたがって出力の設定値を求める。
【００６９】
そして、出力制御部２５は、電力変換部１０の出力が、出力設定部２４によって設定された設定値に一致するように、電力変換部１０が備えるスイッチング素子のオンデューティを制御する。
【００７０】
このように、異常判断部２３が第１測定値及び第２測定値の一方を異常値と判断した場合、出力設定部２４が、第１測定値及び第２測定値のうち異常値と判断されていない測定値と、異常時の出力特性とに基づいて電力変換部１０の出力値を設定している。
【００７１】
ここで、異常時の出力特性は、正常時の出力特性に比べ、高温時には出力の設定値が低めに設定される。したがって、第１測定値及び第２測定値のうち異常値と判断されていない測定値のみに基づいて出力を設定する場合に、点灯装置１及び光源１１０の温度が高温になる可能性を低減できる。例えば、光源１１０の温度の測定値（第２測定値）が異常値と判断された場合、出力設定部２４は、点灯装置１の温度の測定値（第１測定値）と、図３Ａに示した異常時の出力特性とに基づいて電力変換部１０の出力を設定している。ここで、異常時の出力特性は、正常時の出力特性に比べて、高温時（温度Ｔ１３よりも高い温度範囲）における出力の設定値が低めに設定されるので、点灯装置１及び光源１１０の温度が高温になる可能性を低減できる。
【００７２】
また、第１測定値又は第２測定値が異常値と判断された場合でも、点灯装置１が光源１１０を点灯させているので、所望の範囲を照明することができる。
【００７３】
（実施形態３）
実施形態３に係る点灯装置１について図４及び図５に基づいて説明する。
【００７４】
本実施形態の点灯装置１は、制御部２０が推定部２７を更に備える点で実施形態１と相違する。以下、実施形態１と同様の構成については、共通の符号を付して適宜説明を省略する。なお、実施形態３で説明した構成（変形例を含む）は、実施形態１、２で説明した構成（変形例を含む）と適宜組み合わせて適用可能である。
【００７５】
本実施形態の点灯装置１では、制御部２０のメモリ２６が、第１測定値と第２測定値とが両方とも異常値ではない状態で求められた、第１測定値と第２測定値との相関関係を示す相関値を記憶する。すなわち、制御部２０は、第１測定値と第２測定値とが両方とも異常値ではない状態で、第１測定値と第２測定値との相関関係を示す相関値を求め、この相関値をメモリ２６に記憶する。制御部２０は、例えば第１測定値と第２測定値との差分を相関値としてメモリ２６に記憶する。
【００７６】
また、制御部２０のメモリ２６が、図５Ａ及び図５Ｂに示すような出力特性を記憶している。図５Ａは点灯装置１の温度と電力変換部１０の出力との関係を示しており、電力変換部１０の出力は、光源１１０への定格出力を１００％としたときの百分率で表されている。図５Ａの出力特性は、図２Ａに示す正常時の出力特性と同じであるので、その説明は省略する。図５Ｂは光源１１０の温度と電力変換部１０の出力との関係を示しており、電力変換部１０の出力は、光源１１０への定格出力を１００％としたときの百分率で表されている。図５Ｂの出力特性は、図２Ｂに示す正常時の出力特性と同じであるので、その説明は省略する。
【００７７】
推定部２７は、異常判断部２３が第１測定値と第２測定値との一方を異常値と判断した場合、第１測定値及び第２測定値の他方と、メモリ２６から取得した相関値とに基づいて、第１測定値及び第２測定値の一方の測定値を推定する。
【００７８】
以下に、本実施形態の点灯装置１の特徴部分の動作について説明する。
【００７９】
第１測定値と第２測定値とが両方とも異常値ではない状態では、制御部２０が、第１測定値と第２測定値との相関関係を示す相関値を求め、この相関値をメモリ２６に記憶する。制御部２０は、例えば点灯開始時から所定時間が経過し、第１測定値及び第２測定値が安定した状態で、第１測定値と第２測定値との相関値を求める。ここでは、制御部２０が、第１測定値よりも第２測定値の方が２０℃高いという相関値をメモリ２６に記憶させた場合について説明する。
【００８０】
第１測定値と第２測定値とが両方とも異常値ではない状態で、制御部２０が電力変換部１０の出力を制御する動作は実施形態１と同様であるので、その説明は省略し、第１測定値又は第２測定値が異常値と判断された場合の制御部２０の動作について以下に説明する。
【００８１】
異常判断部２３が、第１入力部２１に入力された第１測定値が異常値だと判断すると、推定部２７は、異常値だと判断されていない第２測定値と、メモリ２６から取得した相関値とをもとに、第２測定値から２０℃を減算した値を第１測定値と推定する。
【００８２】
このとき、出力設定部２４は、推定部２７が推定した第１測定値の推定値をもとに、図５Ａに示した出力特性にしたがって、電力変換部１０の出力の第１候補値を求める。また、出力設定部２４は、第２入力部２２に入力された第２測定値をもとに、図５Ｂに示した出力特性にしたがって、電力変換部１０の出力の第２候補値を求める。そして、出力設定部２４は、第１候補値と第２候補値との大小を比較し、第１候補値及び第２候補値のうち小さい方を電力変換部１０の出力の設定値とする。そして、出力制御部２５が、電力変換部１０の出力が、出力設定部２４によって設定された設定値に一致するように、電力変換部１０が備えるスイッチング素子のオンデューティを制御する。
【００８３】
なお、異常判断部２３が、第２入力部２２に入力された第２測定値が異常値だと判断すると、推定部２７は、異常値だと判断されていない第１測定値と、メモリ２６から取得した相関値とをもとに、第２測定値を推定する。第２測定値を推定する処理は、第１測定値を推定する処理と同様であるので、その説明は省略する。
【００８４】
このように、異常判断部２３が第１測定値と第２測定値との一方を異常値と判断した場合、推定部２７が、第１測定値と第２測定値との他方と、メモリ２６から取得した相関値とに基づいて、第１測定値と第２測定値との一方を推定する。そして、出力設定部２４が、第１測定値と第２測定値との一方の推定値と、第１測定値と第２測定値との他方とをもとに、電力変換部１０の出力の設定値を求める。そして、出力制御部２５は、電力変換部１０の出力が、出力設定部２４によって設定された設定値に一致するように、電力変換部１０が備えるスイッチング素子のオンデューティを制御する。
【００８５】
なお、制御部２０は、第１測定値と第２測定値との差分を統計処理した値（例えば一定期間にける差分の平均値、中央値、最大値、最小値など）や、第１測定値と第２測定値との比率などを相関値としてメモリ２６に記憶してもよい。
【００８６】
また、点灯装置１の温度である第１測定値と、光源１１０の温度である第２測定値との相関関係は、点灯装置１の入出力値によっても変動すると想定される。ここで、点灯装置１の入出力値とは、点灯装置１の入力及び出力の電流、電圧、電力などの値である。したがって、制御部２０は、点灯装置１の入力及び出力の電流、電圧、電力のうちの１つ以上をパラメータとして、第１測定値と第２測定値との相関関係を示す相関値を求め、この相関値をメモリ２６に記憶してもよい。これにより、推定部２７は、点灯装置１の入出力値による相関値の変動分をキャンセルして、異常値と判断された測定値をより正確に行うことができる。
【００８７】
（実施形態４）
実施形態４に係る点灯装置１について図６に基づいて説明する。
【００８８】
本実施形態の点灯装置１は、通信部６０を更に備える点で実施形態３と相違する。以下、実施形態３と同様の構成については、共通の符号を付して適宜説明を省略する。なお、実施形態４で説明した構成（変形例を含む）は、実施形態１〜３で説明した構成（変形例を含む）と適宜組み合わせて適用可能である。
【００８９】
通信部６０は、点灯装置１と同一仕様の別の点灯装置１Ａと通信する。本実施形態の点灯装置１は、自動車のような車両の前照灯として用いられる光源ユニット１００を点灯するために用いられる。自動車のような車両では、車体の前部における左右両側に前照灯が１つずつ取り付けられており、点灯装置１と、この点灯装置１と同一仕様の別の点灯装置１Ａとが車体の前部の左右に取り付けられている。通信部６０は、同一の車両に備えられた同一構成の別の点灯装置１Ａとの間で、車両に設けられた通信ネットワークを利用して通信を行う。なお、通信部６０は、車載ネットワークで利用されるＬＩＮ（Local Interconnect Network）やＣＡＮ（Controller Area Network）などの通信プロトコルに準拠した通信モジュールであればよい。
【００９０】
すなわち、本実施形態の点灯装置１と別の点灯装置１Ａとは共通の構成を有しており、点灯装置１と点灯装置１Ａとで照明システムが構成される。言い換えれば、共通の構成を有する２台の点灯装置１，１Ａで照明システムが構成されており、照明システムを構成する２台の点灯装置の各々が、本実施形態の点灯装置１で構成されている。なお、本実施形態では２台の点灯装置で照明システムが構成されているが、共通の構成を有する３台以上の点灯装置で照明システムが構成されてもよい。
【００９１】
ここにおいて、点灯装置１と別の点灯装置１Ａとが同一仕様であるとは、発熱や放熱に関わる構成が共通であることを意味し、例えば同一構成の電力変換部１０と制御部２０とを備えていることを意味する。また、点灯装置１が点灯させる光源１１０と、別の点灯装置１Ａが点灯させる光源１１０Ａとは同一仕様であり、光源１１０，１１０Ａでは、光源１１０，１１０Ａを構成する発光ダイオードの個数、入力電流、入力電圧などが同じである。点灯装置１と別の点灯装置１Ａとは同一仕様であるので、設置環境などの影響がなければ、点灯装置１，１Ａで点灯装置本体７０の内部の温度や光源の温度は同程度の温度になると想定される。
【００９２】
異常判断部２３が第１測定値及び第２測定値を両方ともに異常値でないと判断している場合の制御部２０の動作は実施形態１と同様であるので、その説明は省略する。
【００９３】
異常判断部２３が第１測定値と第２測定値との一方を異常値と判断した場合、制御部２０は、通信部６０から別の点灯装置１Ａへ、点灯装置１Ａの温度の測定値と、点灯装置１Ａが点灯させる光源１００Ａの温度の測定値の送信を要求する要求信号を送信する。ここにおいて、別の点灯装置１Ａの温度の測定値を第３測定値といい、別の点灯装置１Ａが点灯させる光源ユニット１００Ａの光源の温度を第４測定値という。なお、制御部２０は、別の点灯装置１Ａに対して、測定異常の発生を通知する異常通知信号を通信部６０から送信してもよい。
【００９４】
通信部６０が、要求信号の送信後に別の点灯装置１Ａから第３測定値と第４測定値とを受信すると、制御部２０の出力設定部２４は、別の点灯装置１Ａから受信した第３測定値と第４測定値とを用いて出力の設定値を求める。すなわち、出力設定部２４は、第１測定値及び第２測定値のうち正常値と判断された測定値と、別の点灯装置１Ａの測定値とに基づいて出力の設定値を求める。なお、制御部２０のメモリ２６は、実施形態３と同様に、図５Ａ及び図５Ｂに示すような出力特性を記憶している。
【００９５】
例えば、点灯装置１の温度である第１測定値が異常値と判断された場合、制御部２０の出力設定部２４は、別の点灯装置１Ａから受信した点灯装置１Ａの温度の第３測定値と、第２測定値とに基づいて、電力変換部１０の出力の設定値を求める。具体的には、出力設定部２４は、別の点灯装置１Ａの第３測定値をもとに、メモリ２６から取得した図５Ａの出力特性にしたがって、電力変換部１０の出力の第１候補値を求める。また、出力設定部２４は、異常値と判断されていない第２測定値をもとに、メモリ２６から取得した図５Ｂの出力特性にしたがって、電力変換部１０の出力の第２候補値を求める。出力設定部２４は、第１候補値と第２候補値との大小を比較し、第１候補値と第２候補値のうち小さい方を出力の設定値に設定する。
【００９６】
また、光源１１０の温度である第２測定値が異常値と判断された場合、制御部２０の出力設定部２４は、第１測定値と、別の点灯装置１Ａから受信した光源の温度の第４測定値とに基づいて、電力変換部１０の出力の設定値を求める。具体的には、出力設定部２４は、異常値と判断されていない第１測定値をもとに、メモリ２６から取得した図５Ａの出力特性にしたがって、電力変換部１０の出力の第１候補値を求める。また、出力設定部２４は、別の点灯装置１Ａの第４測定値をもとに、メモリ２６から取得した図５Ｂの出力特性にしたがって、電力変換部１０の出力の第２候補値を求める。出力設定部２４は、第１候補値と第２候補値との大小を比較し、第１候補値と第２候補値のうち小さい方を出力の設定値に設定する。
【００９７】
上述のようにして出力設定部２４が電力変換部１０の出力を設定すると、出力制御部２５は、電力変換部１０の出力が、出力設定部２４によって設定された設定値に一致するように、電力変換部１０が備えるスイッチング素子のオンデューティを制御する。
【００９８】
ここにおいて、本実施形態の点灯装置１では、通信部６０が別の点灯装置１Ａから要求信号を受信すると、当該点灯装置１の制御部２０が、第１測定値と第２測定値とを通信部６０から別の点灯装置１Ａ（外部装置）に送信する。これにより、別の点灯装置１Ａにおいて第３測定値又は第４測定値が異常値と判断された場合でも、別の点灯装置１Ａは、点灯装置１で測定された第１測定値、第２測定値を用いて、電力変換部１０の出力の設定値を求めることができる。
【００９９】
なお、点灯装置１，１Ａが点灯装置１，１Ａの温度の測定値と光源の温度の測定値を送信するタイミングは、点灯装置１，１Ａが要求信号を受信したときに限定されない。
【０１００】
点灯装置１と別の点灯装置１Ａとが、点灯装置１，１Ａの温度（第１測定値、第３測定値）と、光源の温度（第２測定値、第４測定値）とを相互に送受信してもよい。
【０１０１】
また、点灯装置１，１Ａは、点灯装置の温度の測定値と光源の温度の測定値との少なくとも一方が所定の高温側閾値以上になると、相手側の点灯装置に点灯装置の温度の測定値と光源の温度の測定値とを送信してもよい。また、点灯装置１，１Ａは、点灯装置の温度の測定値と光源の温度の測定値との少なくとも一方が所定の低温側閾値以下になると、相手側の点灯装置に点灯装置の温度の測定値と光源の温度の測定値とを送信してもよい。
【０１０２】
また、本実施形態の点灯装置１において、第１測定値と第２測定値とのいずれかが異常値となった場合に、推定部２７が、別の点灯装置１Ａの第３測定値又は第４測定値を用いて、異常値と判断された測定値を推定してもよい。
【０１０３】
この場合は、点灯装置１と別の点灯装置１Ａとが、点灯装置１，１Ａの温度（第１測定値、第３測定値）と、光源の温度（第２測定値、第４測定値）とを相互に送受信している。
【０１０４】
そして、制御部２０は、第１測定値と第２測定値とが両方とも異常値ではない状態で、第１測定値と第３測定値との相関関係を示す第１相関値と、第２測定値と第４測定値との相関関係を示す第２相関値とを求める。制御部２０は第１相関値及び第２相関値をメモリ２６に記憶する。制御部２０は、例えば第１測定値と第３測定値との差分を第１相関値としてメモリ２６に記憶し、第２測定値と第４測定値との差分を第２相関値としてメモリ２６に記憶する。
【０１０５】
推定部２７は、異常判断部２３が第１測定値と第２測定値との一方を異常値と判断した場合、別の点灯装置１Ａの第３測定値又は第４測定値と、メモリ２６から取得した第１相関値又は第２相関値とに基づいて第１測定値及び第２測定値の一方の測定値を推定する。
【０１０６】
以下に、本実施形態の点灯装置１の特徴部分の動作について説明する。
【０１０７】
第１測定値と第２測定値とが両方とも異常値ではない状態では、制御部２０が、第１測定値と第３測定値との相関関係を示す第１相関値と、第２測定値と第４測定値との相関関係を示す第２相関値とを求め、第１相関値及び第２相関値をメモリ２６に記憶する。制御部２０は、例えば点灯開始時から所定時間が経過し、第１測定値及び第２測定値が安定した状態で、第１測定値と第３測定値との第１相関値、及び第２測定値と第４測定値との第２相関値を求める。ここでは、制御部２０が、第１測定値よりも第３測定値の方が７℃高いという第１相関値と、第２測定値よりも第４測定値の方が１０℃高いという第２相関値とをメモリ２６に記憶させた場合について説明する。なお、第１相関値及び第２相関値の値は一例であり、使用環境などに応じて適宜変更される。
【０１０８】
第１測定値と第２測定値とが両方とも異常値ではない状態で、制御部２０が電力変換部１０の出力を制御する動作は実施形態１と同様であるので、その説明は省略し、第１測定値又は第２測定値が異常値と判断された場合の制御部２０の動作について以下に説明する。
【０１０９】
異常判断部２３が、第１入力部２１に入力された第１測定値が異常値だと判断すると、推定部２７は、別の点灯装置１Ａの第３測定値又は第４測定値を用いて異常値と判断された測定値を推定する。
【０１１０】
例えば、異常判断部２３が、点灯装置１の温度である第１測定値が異常値だと判断すると、推定部２７は、別の点灯装置１Ａから受信した点灯装置の温度である第３測定値と、メモリ２６から取得した第１相関値とをもとに、第１測定値を推定する。ここでは、推定部２７は、第３測定値から７℃を引いた値を第１測定値と推定する。そして、出力設定部２４は、第１測定値の推定結果と、異常値と判断されていない第２測定値とに基づいて、電力変換部１０の出力の設定値を求める。なお、出力設定部２４が電力変換部１０の出力の設定値を求める動作は実施形態３と同様であるので、その説明は省略する。
【０１１１】
また、異常判断部２３が、光源１１０の温度である第２測定値が異常値だと判断すると、推定部２７は、別の点灯装置１Ａから受信した光源１１０の温度である第４測定値と、メモリ２６から取得した第２相関値とをもとに、第２測定値を推定する。ここでは、推定部２７は、第４測定値から１０℃を引いた値を第２測定値と推定する。そして、出力設定部２４は、異常値と判断されていない第１測定値と、第２測定値の推定結果とに基づいて、電力変換部１０の出力の設定値を求める。
【０１１２】
なお、異常判断部２３が第１測定値と第２測定値の両方が異常値だと判断した場合、推定部２７は、別の点灯装置１Ａの第３測定値と第１相関値とをもとに第１測定値を推定し、別の点灯装置１Ａの第４測定値と第２相関値とをもとに第２測定値を推定すればよい。
【０１１３】
ところで、点灯装置１，１Ａが同一の構成を備える場合でも、他の熱源からの距離の違いや点灯装置及び光源の放熱特性の違いなどによって、点灯装置１と別の点灯装置１Ａとで、点灯装置の温度が異なったり、光源の温度が異なったりする可能性がある。
【０１１４】
その場合でも、推定部２７が、別の点灯装置１Ａの測定値（第３測定値又は第４測定値）と、相関値（第１相関値又は第２相関値）とに基づいて、異常値と判断された測定値を推定するので、異常値と判断された測定値をより正確に推定できる。
【０１１５】
また、本実施形態の点灯装置１において、制御部２０は、異常判断部２３が第１測定値又は第２測定値を異常値と判断した場合に、通信部６０から外部装置、例えば車両のＥＣＵに異常を通知する通知信号を送信してもよい。車両のＥＣＵは、点灯装置１から通知信号を受信すると、例えば運転席のメーターパネルに温度の検知機能の異常を通知する表示を行い、車両の使用者に点検、修理などの対応を促すことができる。
【０１１６】
なお、制御部２０は、異常判断部２３が第１測定値又は第２測定値を異常値と判断した場合、外部装置から点灯指示があっても、すぐに光源ユニット１００を点灯させず、点灯開始を遅らせる制御を行うことで、第１測定値又は第２測定値が異常値と判断されたことを外部に通知してもよい。この場合は、第１測定値又は第２測定値が異常値と判断されたことを外部に報知するために、電力変換部１０の出力を変化させる制御部２０で報知部が構成される。
【０１１７】
また、点灯装置１が車両用の光源である光源ユニット１００を点灯させる場合に、制御部２０は、以下のような制御を行うことで外部に測定異常の発生を通知してもよい。
【０１１８】
例えば、制御部２０は、異常判断部２３が測定異常と判断した状態で、車両が停止すると（例えばパーキングブレーキが作動すると）、光源１１０を点滅させることで、外部に測定異常の発生を通知してもよい。
【０１１９】
また、制御部２０は、車両の停止中と走行中とで電力変換部１０の出力を変化させることで、外部に測定異常の発生を通知してもよい。例えば、制御部２０が、車両の走行中は電力変換部１０の出力を出力設定部２４で設定される設定値とし、車両の停止中は電力変換部１０の出力を走行中に比べて増加させることで、外部に測定異常の発生を通知してもよい。
【０１２０】
（実施形態５）
図７は、本実施形態に係る照明器具２００の断面図である。
【０１２１】
本実施形態に係る照明器具２００は、例えば車両用の前照灯装置である。
【０１２２】
照明器具２００は、実施形態１で説明した点灯装置１及び光源ユニット１００を収納する器具本体２０１を備えている。
【０１２３】
器具本体２０１はボディ２０２とカバー２０３とで構成される。
【０１２４】
ボディ２０２は、合成樹脂又は金属により、前面に開口部を有する箱状に形成されている。
【０１２５】
カバー２０３は、ガラスやアクリル樹脂などの透光性を有する材料で形成されており、ボディ２０２の開口部に取り付けられる。
【０１２６】
光源ユニット１００は、光源１１０が実装された基板１０１を備えている。基板１０１にはサーミスタからなる第２感温部１２０も実装されている。
【０１２７】
基板１０１は放熱部材１０２に取り付けられており、放熱部材１０２はねじなどの支持部材１０３を介してボディ２０２に固定されている。
【０１２８】
また、光源ユニット１００は配光を制御するレンズ１０５を備え、レンズ１０５は支持部材１０４を介して放熱部材１０２に取り付けられている。また、放熱部材１０２には、光源１１０から照射された光を反射して、反射光をレンズ１０５に入射させるための反射部材１０６が取り付けられている。
【０１２９】
ボディ２０２には点灯装置１も収納されている。点灯装置１の点灯装置本体７０は、ボディ２０２の内部において光源ユニット１００の下側に配置されており、支持部材を介してボディ２０２に取り付けられている。点灯装置１と光源ユニット１００の基板１０１とは電線６１を介して電気的に接続されている。また、点灯装置１は電線６２を介して直流電源Ｅ１に接続されている。
【０１３０】
ここにおいて、照明器具２００は、実施形態１で説明した点灯装置１と光源ユニット１００とを備えるものに限定されず、実施形態１〜４（変形例を含む）で説明した点灯装置１と光源ユニット１００とを備えていればよい。
【０１３１】
本実施形態の照明器具２００は実施形態１〜４で説明した点灯装置１を備えているので、温度の検出機能に異常が発生した場合でも異常な制御が行われにくい点灯装置１を備えた照明器具２００を提供できる。
【０１３２】
なお、照明器具２００は車両用の前照灯装置に限定されず、住宅、商業施設、オフィスビルなどの施設において使用される施設用照明やダウンライトなどの照明器具でもよい。
【０１３３】
（実施形態６）
図８に本実施形態に係る車両３００の斜視図を示す。
【０１３４】
車両３００は、例えば、セダンタイプの普通乗用車である。
【０１３５】
車両３００の車体３０１の前部における左右両側には実施形態５で説明した照明器具２００が配置されている。照明器具２００は、実施形態１〜４で説明した説明した点灯装置１を備えているので、温度の検出機能に異常が発生した場合でも異常な制御が行われにくい点灯装置１を備えた車両３００を提供できる。
【０１３６】
（まとめ）
以上説明したように、第１の態様の点灯装置１は、入力電力を変換して光源１１０に出力する電力変換部１０と、電力変換部１０の出力を制御する制御部２０とを備える。制御部２０は第１入力部２１と第２入力部２２とを備える。第１入力部２１には、電力変換部１０及び制御部２０を少なくとも収納する点灯装置本体７０の内部温度を測定する第１感温部３０から第１測定値が入力される。第２入力部２２には、光源１１０の温度を測定する第２感温部１２０から第２測定値が入力される。制御部２０は、第１測定値と第２測定値とが両方ともに異常値でないと判断したときは、前記第１測定値及び前記第２測定値のいずれか一方が所定の閾値を超えると前記電力変換部の出力値を抑制するように制御する。制御部２０は、第１測定値と第２測定値との少なくとも一方が異常値であると判断したときは、電力変換部１０の出力値を、第１測定値と第２測定値とに基づいて決定される出力値とは異なる出力値に制御する。
【０１３７】
第１の態様の点灯装置１によれば、第１測定値と第２測定値との少なくとも一方が異常値の場合、制御部２０は、電力変換部１０の出力値を、第１測定値と第２測定値とに基づいて決定される出力値とは異なる出力値に制御する。したがって、電力変換部１０の出力値が、異常値と判断された第１測定値と第２測定値とに基づいて決定される出力値に制御されることがなく、温度の検出機能に異常が発生した場合でも異常な制御が行われにくくなる。
【０１３８】
第２の態様の点灯装置１では、第１の態様において、制御部２０が、第１測定値と第２測定値との少なくとも一方が異常値であると判断したときは、電力変換部１０の出力を一定値に制御してもよい。
【０１３９】
第２の態様の点灯装置１によれば、温度の検出機能に異常が発生した場合、制御部２０は、電力変換部１０の出力を温度に関係なく一定値に制御するので、温度の検出機能に異常が発生した場合でも異常な制御が行われにくくなる。
【０１４０】
第３の態様の点灯装置１では、第２の態様において、一定値は、第１測定値と第２測定値とが両方ともに異常値でないときの出力値よりも小さいことが好ましい。
【０１４１】
第３の態様の点灯装置１によれば、温度の検出機能に異常が発生した場合には、電力変換部１０の出力が低減されるので、点灯装置１及び光源１１０の温度上昇を抑制できる。
【０１４２】
第４の態様の点灯装置１では、第１の態様において、制御部２０は、第１測定値と第２測定値との一方を異常値と判断したとき、点灯装置本体７０の内部温度と光源１１０の温度とのうち第１測定値と第２測定値との一方に対応した温度の推定値を求めてもよい。制御部２０は、第１測定値と第２測定値との他方の測定値をもとに、第１測定値と第２測定値との一方に対応した温度の推定値を求める。制御部２０は、第１測定値と第２測定値との一方に対応した温度の推定値と、第１測定値と第２測定値との他方の測定値とに基づいて、電力変換部１０の出力値を制御してもよい。
【０１４３】
第４の態様の点灯装置１によれば、制御部２０は、第１測定値と第２測定値との一方が異常値と判断された場合、第１測定値と第２測定値との一方の推定結果と、第１測定値と第２測定値との他方の測定値とに基づいて、電力変換部１０の出力値を制御している。したがって、温度の検出機能に異常が発生した場合でも、異常な制御が行われにくくなる。
【０１４４】
第５の態様の点灯装置１は、第４の態様において、メモリ２６を、更に備えてもよい。メモリ２６は、第１測定値と第２測定値とが両方とも異常値ではない状態で求められた第１測定値と第２測定値との相関関係を示す相関値を記憶する。制御部２０は、第１測定値と第２測定値との一方が異常値であると判断したとき、点灯装置本体７０の内部温度と光源１１０の温度とのうち第１測定値と第２測定値との一方に対応した温度の推定値を求めてもよい。制御部２０は、第１測定値と第２測定値との他方の測定値と、メモリから取得した相関値とに基づいて、点灯装置本体７０の内部温度と光源１１０の温度とのうち第１測定値と第２測定値との一方に対応した温度の推定値を求めればよい。
【０１４５】
第５の態様の点灯装置１によれば、制御部２０は、第１測定値と第２測定値とのうち異常値と判断された測定値を相関値に基づいて推定しているので、異常値と判断された測定値をより正確に推定できる。したがって、温度の検出機能に異常が発生した場合でも、異常な制御が行われにくくなる。
【０１４６】
第６の態様の点灯装置１は、第１の態様において、通信部６０を更に備えてもよい。通信部６０には、別の点灯装置１Ａから、別の点灯装置１Ａが備える点灯装置本体７０の内部温度を測定した第３測定値と、別の点灯装置１Ａが点灯させる光源の温度を測定した第４測定値とが、それぞれ入力される。制御部２０は、第１測定値と第２測定値との一方が異常値であると判断したとき、通信部６０に入力される第３測定値及び第４測定値のうち第１測定値と第２測定値との一方に対応する測定値と、第１測定値と第２測定値との他方の測定値とに基づいて、電力変換部１０の出力値を制御してもよい。
【０１４７】
第６の態様の点灯装置１によれば、制御部２０は、第１測定値と第２測定値との一方が異常値と判断された場合、第１測定値と第２測定値との他方と、別の点灯装置１Ａから通信部６０に入力された測定値に基づいて、電力変換部１０の出力値を制御する。したがって、温度の検出機能に異常が発生した場合でも、異常値と判断された測定値に基づいて電力変換部１０の出力値が制御されることがなく、異常な制御が行われにくくなる。
【０１４８】
第７の態様の点灯装置１は、第１の態様において、通信部６０と、メモリ２６とを、更に備えてもよい。通信部６０には、別の点灯装置１Ａから、別の点灯装置１Ａが備える点灯装置本体７０の内部温度を測定した第３測定値と、別の点灯装置１Ａが点灯させる光源の温度を測定した第４測定値とが、それぞれ入力される。メモリ２６は、第１測定値が異常値ではない状態で求められた第１測定値と第３測定値との相関関係を示す相関値（第１相関値）を記憶する。制御部２０は、第１測定値が異常値であると判断したとき、通信部６０に入力される第３測定値と、メモリから取得した第１測定値と第３測定値との相関関係を示す相関値とを用いて、点灯装置本体７０の内部温度の測定値を求めればよい。制御部２０は、点灯装置本体７０の内部温度の測定値と第２測定値とに基づいて、電力変換部１０の出力値を制御すればよい。
【０１４９】
第７の態様の点灯装置１によれば、第１測定値が異常値と判断された場合でも、制御部２０が、別の点灯装置１Ａの第３測定値と相関値とを用いて第１測定値を推定できる。したがって、制御部２０が、第１測定値の推定結果と第２測定値とに基づいて電力変換部１０の出力を制御することで、温度の検出機能に異常が発生した場合でも、異常な制御が行われにくくなる。
【０１５０】
第８の態様の点灯装置１は、第１又は第７の態様において、通信部６０と、メモリ２６とを、更に備えてもよい。通信部６０には、別の点灯装置１Ａから、別の点灯装置１Ａが備える点灯装置本体７０の内部温度を測定した第３測定値と、別の点灯装置１Ａが点灯させる光源の温度を測定した第４測定値とが、それぞれ入力される。メモリ２６は、第２測定値が異常値ではない状態で求められた第２測定値と第４測定値との相関関係を示す相関値（第２相関値）を記憶する。制御部２０は、第２測定値が異常値であると判断したとき、通信部６０に入力される第４測定値と、メモリから取得した第２測定値と第４測定値との相関関係を示す相関値とを用いて、光源１１０の温度の推定値を求めればよい。制御部３０は、光源１１０の温度の推定値と第１測定値とに基づいて、電力変換部１０の出力値を制御すればよい。
【０１５１】
第８の態様の点灯装置１によれば、第２測定値が異常値と判断された場合でも、制御部２０が、別の点灯装置１Ａの第４測定値と相関値とを用いて第２測定値を推定できる。したがって、制御部２０が、第１測定値と、第２測定値の推定結果とに基づいて電力変換部１０の出力を制御することで、温度の検出機能に異常が発生した場合でも、異常な制御が行われにくくなる。
【０１５２】
第９の態様の点灯装置１は、第１の態様において、外部装置（例えば別の点灯装置１Ａ）へ第１測定値と第２測定値とを出力する通信部６０を、更に備えてもよい。
【０１５３】
第９の態様の点灯装置１によれば、外部装置において、点灯装置１が出力した第１測定値及び第２測定値を利用することができる。また、外部装置が別の点灯装置１Ａであれば、別の点灯装置１Ａにおいて、点灯装置１が出力した第１測定値及び第２測定値を用いて、測定値の推定などの処理を行うことができる。
【０１５４】
第１０の態様の点灯装置１は、第１〜第９のいずれか１つの態様において、制御部２０は、第１測定値と第２測定値とのいずれかが所定の温度範囲外であると異常値であると判断してもよい。
【０１５５】
第１０の態様の点灯装置１によれば、第１測定値又は第２測定値が所定の温度範囲外となるような異常な値になった場合に、制御部２０は第１測定値又は第２測定値が異常値であると判断することができる。
【０１５６】
第１１の態様の点灯装置１は、第１〜第１０のいずれか１つの態様において、制御部２０は、第１測定値と第２測定値との温度差が所定の判定基準以上であると、第１測定値又は第２測定値が異常値であると判断してもよい。
【０１５７】
第１１の態様の点灯装置１によれば、第１測定値と第２測定値との温度差が所定の判定基準以上となるような異常が発生した場合に、制御部２０は第１測定値と第２測定値のいずれかが異常値であると判断することができる。
【０１５８】
第１２の態様の点灯装置１は、第１〜第１１のいずれか１つの態様において、制御部２０が第１測定値と第２測定値との少なくとも一方が異常値であると判断したとき、第１測定値又は第２測定値を異常値と判断したことを外部に報知する報知部を、更に備えてもよい。
【０１５９】
第１２の態様の点灯装置１によれば、報知部が、第１測定値又は第２測定値を異常値と判断したことを外部に報知するので、測定異常の発生に対して何らかの対応を促すことができる。
【０１６０】
一態様の照明器具２００は、第１〜第１２のいずれかの態様の点灯装置１と、点灯装置１を保持する器具本体２０１とを備えている。
【０１６１】
これにより、温度の検出機能に異常が発生した場合でも異常な制御が行われにくい点灯装置１を備えた照明器具２００を提供できる。
【０１６２】
一態様の車両３００は、一態様の照明器具２００と、照明器具２００が取り付けられる車体３０１とを備えている。
【０１６３】
これにより、温度の検出機能に異常が発生した場合でも異常な制御が行われにくい点灯装置１を備えた車両３００を提供できる。
【符号の説明】
【０１６４】
１，１Ａ  点灯装置
１０  電力変換部
２０  制御部（報知部）
２１  第１入力部
２２  第２入力部
２３  異常判断部
２４  出力設定部
２５  出力制御部
２６  メモリ
２７  推定部
３０  第１感温部
６０  通信部（報知部）
７０  点灯装置本体
１００，１００Ａ  光源ユニット
１１０  光源
１２０  第２感温部
２００  照明器具
２０１  器具本体
３００  車両
３０１  車体
【図１】
2018041665.tif 000003
【図２】
2018041665.tif 000004
【図３】
2018041665.tif 000005
【図４】
2018041665.tif 000006
【図５】
2018041665.tif 000007
【図６】
2018041665.tif 000008
【図７】
2018041665.tif 000009
【図８】
2018041665.tif 000010